(57)【要約】【課題】  平面度合いの高い電子銃の電極部品を提供すること。【解決手段】  電子が通過する孔Ｇ１ａを中心とする円形状のリブＧ１ｂが形成され、前記リブＧ１ｂに囲まれた内側平面部Ｇ１ｃと外側に延びる外側平面部Ｇ１ｆとを有する電子銃の電極部品Ｇ１の平面部を、外側平面部Ｇ１ｆを内側平面部Ｇ１ｃよりも窪む位置から外方に突出するテーパ状の凹凸面１０ｃ、１１ｃを有する一対の金型１０、１１で挟圧成形した後、前記孔Ｇ１ａを通過する直径部を頂点とする断面円弧状の凹凸面１２ｃ、１３ａを有する一対の金型１２、１３で挟圧成形する。この成形により外側平面部Ｇ１ｆと内側平面部Ｇ１ｃとを平面度の高い面一にすることができる。【選択図】  図１
2005085610.tif 000002
【特許請求の範囲】
【請求項１】
電子が通過する孔を中心とする円形状のリブが形成され、前記リブに囲まれ、前記孔が形成された内側平面部と前記円形状のリブの外側に延びる外側平面部とを有する電子銃の電極部品の平面部を形成する成形方法において、前記電極部品の平面部を、前記外側平面部を前記内側平面部よりも窪む位置から外方に突出するテーパ状の金型で成形した後、前記孔を通過する直径部を頂点とする断面円弧状の金型で成形してなることを特徴とする電子銃の電極部品の成形方法。
【請求項２】
前記リブが形成された電極部品が、陰極および第２グリッドのそれぞれと対向する第１グリッドであることを特徴とする請求項１に記載の電子銃の電極部品の成形方法。
【請求項３】
前面パネルとファンネルとが外囲器を構成し、前記前面パネルの内面に蛍光面スクリーンが形成され、前記ファンネルのネック部内に電子銃が配置された陰極線管において、前記電子銃を構成する電極部品の少なくとも一つにおいては、電子が通過する孔を中心とする円形状のリブが形成され、前記リブに囲まれ、前記孔が形成された内側平面部と前記円形状のリブの外側に延びる外側平面部とを有し、前記内側平面部の平面と前記外側平面部の平面とを面一として請求項１に記載の方法で成形してなることを特徴とする陰極線管。
【請求項４】
前記リブが形成された電極部品が、陰極および第２グリッドのそれぞれと対向する第１グリッドであることを特徴とする請求項３に記載の陰極線管。
【発明の詳細な説明】
【技術分野】
【０００１】
本発明は、電子銃の電極部品の成形方法及びその方法で形成した電極部品を備えた陰極線管に関するものである。
【背景技術】
【０００２】
図８は一例の陰極線管の構成を示すもので、ファンネル１のネック部内に電子銃２と偏向コイル３が配置され、電子銃２から飛び出すビーム状の電子流（電子ビーム）を偏向コイル３に流れる電流により偏向して蛍光面スクリーン４上を走査し、この走査で蛍光面スクリーン４上に画像を描写する。電子ビームを形成する電子銃２は、ヒータ２aを有し熱電子を放出するカソード（陰極）２ｂと、陰極から放出された電子を通過する孔を有する第１グリッドＧ１と、第１グリッドＧ１の孔を通過した電子を通過する孔を有する第２グリッドＧ２および円筒状の第３、第４グリッドＧ３、Ｇ４などの多くの電極部品により構成され、これらの電極部品により陰極２ｂから放出された電子を加速し電子ビームに形成する。なお、グリッドの数は第１グリッドＧ１ないし第４グリッドＧ４の４個に限らずビームの形成手法などに応じてより多く用いる場合もある。そして、これらの陰極やグリッドなどは２本のたとえば絶縁製の支柱に正確な間隔を隔てて固定されている。
【特許文献１】特開２００１−２５６８８２号公報
【特許文献２】特開２００２−２５４６１号公報
【０００３】
図６はこのような電子銃における第１グリッドＧ１と第２グリッドＧ２を絶縁製の支柱に固定した状態を拡大して示すもので、第１グリッドＧ１は中央位置に電子を通過する孔Ｇ１ａが形成され、その孔Ｇ１ａを中心とする円形状のリブＧ１ｂが形成され、このリブＧ１ｂに囲まれ、孔Ｇ１ａが形成された内側平面部Ｇ１ｃとリブＧ１ｂの外側に延びる外側平面部Ｇ１ｄとを有し、外側平面部Ｇ１ｄの外周縁から図示しない陰極を囲むように延びる円筒状の外周側面Ｇ１ｅを備えている。内側平面部Ｇ１ｃは外側平面部Ｇ１ｄよりも突出し、内側平面部Ｇ１ｃの平面と外側平面部Ｇ１ｄの平面との間に僅かな段差ｄ１が形成されている。そして、外周側面Ｇ１ｅに固定片５が固着され、その固定片５を支柱６に固定している。
【０００４】
第２グリッドＧ２は中央位置に電子を通過する孔Ｇ２ａが形成された底板Ｇ２ｂを有する円筒状をなし、円筒状の外周側面Ｇ２ｅに固定片７が固着され、孔Ｇ２ａが第１グリッドＧ１の孔Ｇ１ａと正確な所定の間隔ｄを隔てて対向するように固定片７を支柱６に固定している。
【０００５】
第１グリッドＧ１と第２グリッドＧ２の支柱６への固定は、図７に示すように第１グリッドＧ１の内側平面部Ｇ１ｃと第２グリッドＧ２の底板Ｇ２ｂとの間に、第２グリッドＧ２の孔Ｇ２ａと第１グリッドＧ１の孔Ｇ１ａと間に形成する所定の間隔ｄに相当する厚みｄを有する二股状（孔部をまたぎ、孔部に接近する位置に位置させるため）のスペーサ８を配置し、セラミックスからなる絶縁製支柱６に第１グリッドＧ１および第２グリッドＧ２の固定片５、７を埋め込み、その後セラミックスを焼結することにより行われている。なお、焼結固定後はスペーサ８は取り外す。
【０００６】
ところで、第１グリッドＧ１の孔Ｇ１ａと第２グリッドＧ２の孔Ｇ２ａとの間隔を狭める場合がある。この場合、第１グリッドＧ１と第２グリッドＧ２の絶縁製支柱６への固定時、スペーサ８を挟む挟圧力が増加し、一方スペーサ８の厚みが薄くなる。そのために、その固定時に第２グリッドＧ２の底板Ｇ２ｂが復元するものの一旦窪みが発生し、結果的に第１グリッドＧ１の孔Ｇ１ａと第２グリッドＧ２の細孔Ｇ２ａとの間隔にずれが発生するという問題がある。この問題は第１グリッドＧ１のリブを境界にしてその内側の平面部Ｇ１ｃと外側の平面部Ｇ１ｄとの間の段差ｄ１に相当する厚みｄ１のたとえばリング状のスペーサを外側の平面部Ｇ１ｄに配置することにより解消することができる。
【０００７】
しかし、二股状のスペーサのほかにリング状のスペーサも用いる固定では、固定に際しての部品数を増加し、その取り扱いもきわめて面倒であり、効率のよい電子銃の製作、ひいては陰極線管の製作を妨げるという問題がある。この問題を解消するために図３に示すように、第１グリッドＧ１の第２グリッドＧ２と対向する平面、すなわちリブＧ１ｂに囲まれた内側平面と外側平面Ｇ１ｆとを面一の平面に形成する。このように面一の平面に形成すれば一つの二股状のスペーサ９により第２グリッドＧ２の孔Ｇ２ａと第１グリッドＧ１の孔Ｇ１ａとを正確な所定の間隔ｄを隔てて対向するように固定することができる。そのためには、第１グリッドＧ１の第２グリッドＧ２と対向する平面を傾きやねじれのない正確な平面、すなわち平面度合いのきわめて高い平面とする必要がある。
【発明の開示】
【発明が解決しようとする課題】
【０００８】
本発明が解決しようとする課題は、電子が通過する孔を中心とする円形状のリブが形成され、そのリブに囲まれた内側平面部とそのリブの外側に延びる外側平面部とを有する電子銃の電極部品において、内側平面部と外側平面部とを面一にするとともに、その面一平面の平面度合いを高め、これにより電子銃の製作作業を簡素化し、かつ高品質の陰極線管を得ることである。
【課題を解決するための手段】
【０００９】
本発明は、電子が通過する孔を中心とする円形状のリブが形成され、前記リブに囲まれ、前記孔が形成された内側平面部と前記円形状のリブの外側に延びる外側平面部とを有する電子銃の電極部品の平面部を、前記外側平面部を前記内側平面部よりも窪む位置から外方に突出するテーパ状の金型で成形した後、前記孔を通過する直径部を頂点とする断面円弧状の金型で成形してなることを最も主要な特徴とする。
【発明の効果】
【００１０】
本発明に係る電子銃の電極部品の成形方法は、電子が通過する孔を中心とする円形状のリブが形成された電極部品について、リブに囲まれた外側平面部を、リブに囲まれた内側平面部よりも窪む位置から外方に突出するテーパ状の金型で成形し、その後、前記孔を通過する直径部を頂点とする断面円弧状の金型で成形するので、安定して内側平面部と外側平面部とを平面度合いの高い面一平面とすることができる。これにより電子銃の正確な組立てを容易に行うことができ、また、この電子銃を用いる陰極線管の品質を安定して高めることができる。
【発明を実施するための最良の形態】
【００１１】
電子が通過する孔を中心とする円形状のリブが形成され、そのリブに囲まれた内側平面部とそのリブの外側に延びる外側平面部とを有する電子銃の電極部品において、内側平面部と外側平面部とを面一にするとともに、その面一平面の平面度合いを高める目的を、テーパ状の金型で成形する第１工程と断面円弧状の金型で成形する第２工程とで成形することにより実現した。
【実施例１】
【００１２】
以下、本発明の実施例について図１ないし図４を参照して説明する。図１は本発明の実施例に係る電子銃の電極部品の成形工程を示すもので（ａ）は第１成形工程で使用するテーパ状の金型の断面図、（ｂ）は第２成形工程で使用する断面円弧状の金型の断面図、図３は図１（ｂ）に示す断面円弧状の金型を９０度回転して示す断面図である。なお、テーパ状の金型の平面図を図２に、断面円弧状の金型の平面図を図４に示す。
【００１３】
図１（ａ）において、１０は第１成形工程の上金型、１１は第１成形工程の下金型、Ｇ１は第１グリッドである。第１グリッドＧ１は第２グリッドと対向する平面の中央位置に肉厚を薄くした凹面Ｇ１ｇを形成し、その凹面Ｇ１ｇの中心に電子を通過させる孔Ｇ１ａが形成され、その凹面Ｇ１ｇを囲むようにリブＧ１ｂが形成されており、第１グリッドＧ１にはリブＧ１ｂに囲まれた内側平面部Ｇ１ｃとリブＧ１ｂの外側に延びる外側平面部Ｇ１ｆおよび外側平面部Ｇ１ｆ外周縁から図示しない陰極を囲むように延びる円筒状の外周側面Ｇ１ｅが形成されている。これらの形成は、たとえば１枚のステンレススチール板を打ち抜き、絞り加工などを経て形成される。
【００１４】
上金型１０は、図２（ａ）においても示すように、第１グリッドＧ１のリブＧ１ｂを嵌める円環状の凹溝１０ｂを有し、その凹溝１０ｂで囲まれた第１グリッドＧ１の内側平面部Ｇ１ｃを当接させる緩い球面状の突面１０ａと、凹溝１０ｂの外側に延びる第１グリッドＧ１の外側平面部Ｇ１ｆを当接させる、外周囲を突面１０ａの頂面と同一の高さとし内周面を突面１０ａの裾と同一の高さとしたテーパ状の凹面１０ｃとを備えている。
【００１５】
下金型１１は、図２（ｂ）においても示すように、上金型１０の凹溝１０ｂとテーパ状の凹面１０ｃと対向する面が、テーパ状の凹面１０ｃと嵌合するテーパ状の凸面１１ａと、上金型１０の球面状の突面１０ａと対向する面が、第１グリッドＧ１の凹面Ｇ１ｇと対向する面を凸面１１ｃとし、その周囲面を平坦面１１ｂと備えている。第１グリッドＧ１は、第１成形工程でこの上下の金型１０，１１で挟圧成形され、図１（ｂ）に示す第２成形工程に送られる。
【００１６】
図１（ｂ）および図３において、１２は第２成形工程の上金型、１３は第２成形工程の下金型、Ｇ１は第１成形工程で成形した第１グリッドである。なお、図３では第１グリッドＧ１の外側平面部に組み立て時の位置決め用の孔Ｇ１ｈが直径方向に２個形成されているが、この孔Ｇ１ｈは第１グリッドＧ１の平面成形後に形成されるものである。
【００１７】
上金型１２は、図４（ａ）においても示すように、第１グリッドＧ１のリブＧ１ｂを嵌める円環状の凹溝１２ｂを有し、その凹溝１２ｂで囲まれた第１グリッドＧ１の内側平面部Ｇ１ｃを当接させる平坦状の平面１２ａと、凹溝１２ｂの外側に延びる第１グリッドＧ１の外側平面部Ｇ１ｆを当接させる、孔Ｇ１ａを通過する直径部を頂点とする断面円弧状、つまり蒲鉾形状の凹面１２ｃとを備えている。
【００１８】
下金型１３は、図４（ｂ）においても示すように、上金型１２の凹溝１２ｂと蒲鉾形状の凹面１２ｃと対向する面が、凹面１２ｃと嵌合する断面円弧状、つまり蒲鉾形状の凸面１３ａと、上金型１２の平坦状の平面１２ａと対向する面が、第１グリッドＧ１の凹面Ｇ１ｇと対向する面を凸面１３ｃとし、その周囲面の平坦面１３ｂとを備えている。第１グリッドＧ１は、第２成形工程でこの上下の金型１２、１３で挟圧成形され、次の孔Ｇ１ｈあけ工程に送られる。この孔Ｇ１ｈは蒲鉾形状の頂面部に形成される。
【図面の簡単な説明】
【００１９】
【図１】電子銃の電極部品の成形工程を示すもので（ａ）は第１成形工程で使用するテーパ状の金型の断面図、（ｂ）は第２成形工程で使用する断面円弧状の金型の断面図である。（実施例１）
【図２】図１（ａ）に示す金型の平面図である。
【図３】図１（ｂ）に示す金型を９０度回転して示す断面図である。
【図４】図１（ｂ）に示す金型の平面図である。
【図５】第１グリッドの固定工程を示す断面図である。
【図６】従来の第１グリッドの構成を固定状態で示す断面図である。
【図７】従来の第１グリッドの固定工程を示す説明図である。
【図８】一例の陰極線管の構成を示す構成図である。
【符号の説明】
【００２０】
１  ファンネル（陰極線管）
２  電子銃
４  蛍光面スクリーン
９  スペーサ
１０  第１成形工程の上金型
１０ａ  球面状の突面
１０ｂ  円環状の凹溝
１０ｃ  テーパ状の凹面
１１  第１成形工程の下金型
１１ａ  テーパ状の凸面
１１ｂ  平坦面
１１ｃ  凸面
１２  第２成形工程の上金型
１２ａ  平坦状の平面
１２ｂ  円環状の凹溝
１２ｃ  断面円弧状の凹面
１３  第２成形工程の下金型
１３ａ  断面円弧状の凸面
１３ｂ  平坦面
１３ｃ  凸面
Ｇ１  第１グリッド（電極部品）
Ｇ１ａ  電子通過孔
Ｇ１ｂ  リブ
Ｇ１ｃ  内側平面部
Ｇ１ｆ  外側平面部
【図１】
2005085610.tif 000003
【図２】
2005085610.tif 000004
【図３】
2005085610.tif 000005
【図４】
2005085610.tif 000006
【図５】
2005085610.tif 000007
【図６】
2005085610.tif 000008
【図７】
2005085610.tif 000009
【図８】
2005085610.tif 000010